(57)【要約】【課題】シングルＣＤを徐々に増やしながら、展示レイアウトをその都度変更することが可能で、収納材を傷付けずに容易に着脱することができ、通気性の良い環境で展示できるＣＤ用展示板の提供を目的とする。【解決手段】シングルＣＤ１００の上下端部をスライド自在に支持する複数本の支持帯体２を展示基盤１に設ける。支持したシングルＣＤ１００の背面と前記展示基盤１の盤面との間に保持スペース３を設ける。該保持スペース３を、シングルＣＤ１００の左右両端縁を指で保持できる深さに形成する。スライド溝４を上下の支持帯体２に設け、シングルＣＤ１００の下端部を支持する支持帯体２の上端面に断面略円弧形状を成した導入部５を設ける。【選択図】図１
0003101965.tif 000002
【実用新案登録請求の範囲】
【請求項１】
紙袋に収納し包装フィルムで被覆されたシングルＣＤを展示するＣＤ用展示板において、展示基盤の盤面に略水平に設けられシングルＣＤの上下端部をスライド自在に支持する複数本の支持帯体と、該支持帯体で支持したシングルＣＤの背面と前記展示基盤の盤面との間に設けられた保持スペースとを有し、該保持スペースを、シングルＣＤの左右両端縁を指で保持できる深さに形成すると共に、シングルＣＤの上下端部を嵌入するスライド溝を上下の支持帯体に設け、シングルＣＤの下端部を支持する支持帯体の上端面に断面略円弧形状を成した導入部を設けたことを特徴とするＣＤ用展示板。
【請求項２】
前記支持帯体は前記基盤の盤面に複数段形成され、各支持帯体に夫々複数枚のシングルＣＤを位置調整自在に展示するように設けた請求項１記載のＣＤ用展示板。
【考案の詳細な説明】
【技術分野】
【０００１】
本考案は、ＣＤSingle（以下、シングルＣＤと称する）を、複数枚並べて効果的に展示することができるＣＤ用展示板に関する。
【背景技術】
【０００２】
直径８cmのシングルＣＤは、一般に、ハードケースに収納されているものと、紙袋に収納されているものが提供されている。ハードケースに収納されているシングルＣＤは、このプラスチック製のハードケースに保護されている。そこで、この種のシングルＣＤを展示する場合に、ハードケースの下端部を挟む溝を設けたＣＤ用スタンドを使用し、このＣＤ用スタンドにハードケースごとさし込むことなどにより、シングルＣＤを支持し展示するものであった。
【０００３】
一方、紙袋に収納されているシングルＣＤには、従来のシングルレコードを模したものがある。すなわち、図３に示す如く、シングルレコードを収納していたような紙袋２０にＣＤ１０を収納し、表紙ジャケット３０もシングルレコードのジャケットを模し、これらを被覆用フィルム４０で覆ったものである。したがって、この種のシングルＣＤ１００は、あたかも従来のシングルレコードを直径８cmに縮小したような体裁を成している。ところが、前述のようなハードケースを使用していないので、この種のシングルＣＤ１００は、ハードケースの下端部を挟む溝を設けた従来のＣＤ用スタンド等に展示することはできないものであった。
【０００４】
引用文献１には、多数のポスターを掲示する掲示板が提案されている。この掲示板によると、ポスターを複数枚掲示することのできる大きさのボードと、このボードに左辺又は右辺を除く３辺を接着して左辺又は右辺からポスターを抜き差しできるようにした複数の透明ケースとからなるもので、複数枚の展示物を透明ケース個々に保護しながら掲示できるように工夫されている。
【特許文献１】登録実用新案第３０７１７０３号公報
【考案の開示】
【考案が解決しようとする課題】
【０００５】
前述の如く、紙袋に収納されたシングルＣＤ１００を、ＣＤ用のスタンドに支持して展示することは困難である。また、特許文献１に記載されているように、展示物を個々に透明ケースで保護する掲示板では、透明ケース内部の通気性が悪く、梅雨時などで長期間使用していると、透明ケース内部にカビが発生する虞もある。特に、図３に示すように、紙袋２０や表紙ジャケット３０が被覆用フィルム４０で被覆されているものは、内部の紙材にカビが発生し易い環境になるので、このようなシングルＣＤ１００は、できるだけ通気性のある環境に展示するのが望ましい。
【０００６】
しかも、展示物を個々に保護する掲示板では、予め形成されている複数の透明ケースに収納して展示するので、シングルＣＤを展示する位置や枚数は固定化されることになる。したがって、全ての位置にＣＤを収納している場合はレイアウトのバランスが保たれるが、透明ケースの数に満たないシングルＣＤを展示する場合は、空の透明ケースが展示したシングルＣＤのレイアウトの妨げになる場合がある。そのため、展示板上にシングルＣＤを徐々に増やしながら、レイアウトを好みの位置に変更する展示板として引用文献１の掲示板を用いるのは不適当であった。
【０００７】
また、前述の如く、従来のシングルレコードを模したシングルＣＤ１００は、従来のＣＤ用スタンドに支持して展示することは困難であるが故に、この新しいタイプのシングルＣＤ１００を簡単に着脱して展示できる展示板が望まれていた。ところが、紙袋２０や被覆用フィルム４０等の収納材に収納されているこの種のシングルＣＤ１００は、収納材の耐久性が従来のハードケースに比べて極めて脆弱であり、展示の着脱作業や展示環境によってこれらの収納材が傷付く虞があった。
【０００８】
そこで本考案は上述の課題を解消すべく案出されたもので、シングルＣＤを徐々に増やしながら、展示レイアウトをその都度変更することが可能で、しかも、収納材を傷付けずに容易に着脱することができ、通気性の良い環境で展示できるＣＤ用展示板の提供を目的とするものである。
【課題を解決するための手段】
【０００９】
本考案の第１の手段は、紙袋に収納し包装フィルムで被覆されたシングルＣＤ１００を展示するＣＤ用展示板において、展示基盤１の盤面に略水平に設けられシングルＣＤ１００の上下端部をスライド自在に支持する複数本の支持帯体２と、該支持帯体２で支持したシングルＣＤ１００の背面と前記展示基盤１の盤面との間に設けられた保持スペース３とを有し、該保持スペース３を、シングルＣＤ１００の左右両端縁を指で保持できる深さに形成すると共に、シングルＣＤ１００の上下端部を嵌入するスライド溝４を上下の支持帯体２に設け、シングルＣＤ１００の下端部を支持する支持帯体２の上端面に断面略円弧形状を成した導入部５を設けたことにある。
【００１０】
第２の手段において、前記支持帯体２は前記基盤１の盤面に複数段形成され、各支持帯体２に夫々複数枚のシングルＣＤ１００を位置調整自在に展示するように設けたことを課題解消のための手段とする。
【考案の効果】
【００１１】
本考案のＣＤ用展示板によると、展示基盤１の盤面に略水平に設けられシングルＣＤ１００の上下端部をスライド自在に支持する複数本の支持帯体２と、該支持帯体２で支持したシングルＣＤ１００の背面と前記展示基盤１の盤面との間に設けられた保持スペース３とを有し、該保持スペース３の間隔を、シングルＣＤ１００左右両端縁を指で保持できる深さに形成すると共に、シングルＣＤ１００の上下端部を嵌入するスライド溝４を上下の支持帯体２に設け、シングルＣＤ１００の下端部を支持する支持帯体２の上端面に断面略円弧形状を成した導入部５を設けたことにより、紙袋に収納し包装フィルムで被覆されたシングルＣＤ１００を傷付けずに容易に着脱することができる。
【００１２】
しかも、この保持スペース３は、その構造上、通気性に富むものであるから、被覆用フィルム４０に収納した紙袋２０や表紙ジャケット３０の保存に好適である。
【００１３】
また、支持帯体２は前記基盤１の盤面に複数段形成され、各支持帯体２に夫々複数枚のシングルＣＤ１００を位置調整自在に展示するように設けているので、シングルＣＤ１００を徐々に増やしながら、展示レイアウトをその都度変更することが可能になった。
【考案を実施するための最良の形態】
【００１４】
本考案によると、展示基盤１の盤面に略水平に設けられシングルＣＤ１００の上下端部をスライド自在に支持する複数本の支持帯体２と、該支持帯体２で支持したシングルＣＤ１００の背面と前記展示基盤１の盤面との間に設けられた保持スペース３とを有し、該保持スペース３の間隔を、シングルＣＤ１００の左右両端縁を指で保持できる深さに形成すると共に、シングルＣＤ１００の上下端部を嵌入するスライド溝４を上下の支持帯体２に設け、シングルＣＤ１００の下端部を支持する支持帯体２の上端面に断面略円弧形状を成した導入部５を設ける。更に、支持帯体２は前記基盤１の盤面に複数段形成され、各支持帯体２に夫々複数枚のシングルＣＤ１００を位置調整自在に展示するように設ける。この結果、シングルＣＤ１００を徐々に増やしながら、展示レイアウトをその都度変更することが可能で、しかも、収納材を傷付けずに容易に着脱することができ、通気性の良い環境で展示できるといった目的を実現した。
【実施例】
【００１５】
図に示す符号Ｐは、直径８cmのＣＤ１０を紙袋２０と包装フィルム３０で、表紙ジャケット３０と共に被覆したシングルＣＤを示している（図３参照）。本考案ＣＤ用展示板は、このシングルＣＤ１００を展示するものである。
【００１６】
すなわち、本考案は、展示基盤１の盤面に複数本の支持帯体２を略水平に設けたものである（図２参照）。この支持帯体２には、シングルＣＤ１００の上下端部を嵌入してスライド自在に支持するスライド溝４を設けている（図１参照）。更に、シングルＣＤ１００の下端部を支持する支持帯体２の上端面に断面略円弧形状を成した導入部５を設け、シングルＣＤ１００の下端部を導入し易いように構成している。
【００１７】
この支持帯体２は、基盤１の盤面に複数段形成され、各支持帯体２に夫々複数枚のシングルＣＤ１００を位置調整自在に展示するものである（図２参照）。
【００１８】
展示基盤１は、合成樹脂材、木材、その他の材質にて形成される板状を成し、この盤面に前記支持帯体２を設けている。更に、該支持帯体２で支持したシングルＣＤ１００の背面と前記展示基盤１の盤面との間に保持スペース３ができるように構成している。
【００１９】
この保持スペース３は、特に、シングルＣＤ１００の左右両端縁を指で保持できる深さに形成している。このように保持スペース３を形成することで、紙袋２０や被覆用フィルム４０等の収納材に収納されている直径８cmのシングルＣＤ１００を傷付けずに展示基盤１に直接着脱することができる。
【００２０】
しかも、この保持スペース３は、その構造上、通気性に富むものであるから、被覆用フィルム４０に収納した紙袋２０や表紙ジャケット３０の保存に好適である。
【００２１】
図１及び図２に示す符号６は、展示基盤１を懸吊する吊具であり、任意の懸吊具７を連結する（図２参照）。これら吊具６及び懸吊具７は図示例に限られずその設計変更は自由である。
【図面の簡単な説明】
【００２２】
【図１】本考案の一実施例を示す要部縦断面図である。
【図２】本考案の一実施例を示す正面図である。
【図３】本考案に展示するシングルＣＤの収納例を示す平面図である。
【符号の説明】
【００２３】
１  展示基盤
２  支持帯体
３  保持スペース
４  スライド溝
５  導入部
６  吊具
７  懸吊具
１０  ＣＤ
２０  紙袋
３０  表紙ジャケット
４０  被覆用フィルム
１００  シングルＣＤ
【図１】
0003101965.tif 000003
【図２】
0003101965.tif 000004
【図３】
0003101965.tif 000005